(57)【要約】【課題】外観に違和感がなく、施工や加工の手間を低減できる軒天井コーナー材、および軒天井の施工方法を提供することにある。【解決手段】本発明にかかる軒天井コーナー材１２１２は、建物壁面から突出する屋根端縁同士が交差する角隅部の軒天井部分に設けられる軒天井コーナー材であり、一方の屋根端縁に沿って設けられる軒天井材１２１１の化粧面１２１１Ａと模様が揃えられた第１化粧面１２１２Ａと、他方の屋根端縁に沿って設けられる軒天井材１２１１の化粧面１２１１Ａと模様が揃えられた第２化粧面１２１２Ｂとが形成されている。【選択図】  図２
2004285576.tif 000002
【特許請求の範囲】
【請求項１】
建物壁面から突出する屋根端縁同士が交差する角隅部の軒天井部分に設けられる軒天井コーナー材であって、
一方の屋根端縁に沿って設けられる軒天井材の化粧面と模様が揃えられた第１化粧面と、
他方の屋根端縁に沿って設けられる軒天井材の化粧面と模様が揃えられた第２化粧面とが形成されていることを特徴とする軒天井コーナー材。
【請求項２】
請求項１に記載の軒天井コーナー材において、
矩形板状体から構成され、
矩形の対角線に沿って前記第１化粧面および前記第２化粧面が分割形成されていることを特徴とする軒天井コーナー材。
【請求項３】
請求項２に記載の軒天井コーナー材において、
前記第１化粧面および第２化粧面は、それぞれが取り合う軒天井部分の突出方向に沿った流れ模様であることを特徴とする軒天井コーナー材。
【請求項４】
建物壁面から突出する屋根端縁同士が交差する角隅部の軒天井部分を備えた軒天井の施工方法であって、
前記角隅部に、前記軒天井部分の突出方向に応じて２方向に化粧面が形成された軒天井コーナー材を配設し、
前記屋根端縁に沿って設けられる軒天井材を、この軒天井コーナー材の配設位置に応じて順次取り付けていくことを特徴とする軒天井の施工方法。
【発明の詳細な説明】
【０００１】
【発明の属する技術分野】
本発明は、建物壁面から突出する屋根端縁同士が交差する角隅部の軒天井部分に設けられる軒天井コーナー材、および軒天井の施工方法に関する。
【０００２】
【背景技術】
従来より、寄棟造や入母屋造等の屋根構造は、片流れ造と異なり、軒が建物の壁面に対して、４方向に張り出した構造となっており、軒の直交する部分である角隅部が生じる。この角隅部における軒天井は、同一の板材からなる軒天井材が連続するように施工されている。
このような従来の軒天井の構造としては、例えば、図３（Ａ）に示されるように、軒天井５２１において直交する２方向の一方の方向の軒天井材５２１１を角隅部の外側の端縁にまで延びるようにし、他方の軒天井材５２１２を角隅部の内側の端縁にまで延びるようにして軒天井材５２１１、５２１２同士を接合する構造が知られている。また、図３（Ｂ）に示されるように、化粧面６２１１Ａを形成し、直交する２方向の軒天井材６２１１、６２１１の角隅部に対応する部分の端面を４５度の三角形状とし、これら２方向の軒天井材６２１１、６２１１のこの三角形状の端面同士を接合する構造も知られている（例えば、特許文献１参照）。
【０００３】
【特許文献１】
特開平６−２９９６４８号公報（第４頁、図１及び図４）
【０００４】
【発明が解決しようとする課題】
しかしながら、前記特許文献１記載の技術では、図３（Ａ）に示されるように、軒天井材５２１１、５２１２に木目調やストライプ調等の化粧面５２１２Ａが形成されている場合には、軒天井５２１の角隅部において、直交する２方向の軒天井材の化粧面が連続せず、外観に違和感が生じるという問題が生ずる。
また、他方の軒天井材５２１２の端面に面取り加工を施した場合、この面取り加工を施した部分が目地となり、この目地が目立つ場合は、この目地にジョイナー７等を使用して、目地が目立たないようにする必要があり、ジョイナー７等の施工の手間が生じるという問題もある。
【０００５】
また、図３（Ｂ）に示されるように、直交する２方向の軒天井材６２１１、６２１１の端面同士を接合できるように三角形状に加工する必要があり、加工の手間が生じるという問題がある。
さらに、目地が目立つ場合には、ジョイナー７等を使用する必要があり、ジョイナー７等の施工の手間が生じるという問題もある。
【０００６】
本発明の目的は、外観に違和感がなく、施工や加工の手間を低減できる軒天井コーナー材、および軒天井の施工方法を提供することにある。
【０００７】
【課題を解決するための手段】
上記目的を達するために、本発明の軒天井コーナー材は、建物壁面から突出する屋根端縁同士が交差する角隅部の軒天井部分に設けられる軒天井コーナー材であって、一方の屋根端縁に沿って設けられる軒天井材の化粧面と模様が揃えられた第１化粧面と、他方の屋根端縁に沿って設けられる軒天井材の化粧面と模様が揃えられた第２化粧面とが形成されていることを特徴とする。
【０００８】
このような本発明によれば、第１化粧面および第２化粧面は、それぞれ軒天井材の化粧面と模様が揃えられており、模様のずれ等が生じないので、外観に違和感がない軒天井とすることができる。
また、目地が生ずるものの、軒天井材の模様と軒天井コーナー材の模様とが揃えられているため、取り合い部分となる目地が目立ちにくく、さらに、両材の取り合い部分にそれぞれ面取り加工を施せば、一層目地が目立たず、外観に違和感がなく、ジョイナー等を施工する必要が無く、施工の手間を軽減できる。
さらに、軒天井材の端面を三角形状にする必要もないので、加工の手間を低減できる。
【０００９】
本発明の軒天井コーナー材では、矩形板状体から構成され、矩形の対角線に沿って前記第１化粧面および前記第２化粧面が分割形成されていることが好ましい。
これによれば、矩形板状体から構成され、矩形の対角線に沿って第１化粧面および第２化粧面が分割形成されていることにより、第１化粧面および第２化粧面が対角線に対して線対称の配置となるので、外観に違和感がないだけでなく、より美観の向上を図ることができる。
【００１０】
本発明の軒天井コーナー材では、前記第１化粧面および第２化粧面は、それぞれが取り合う軒天井部分の突出方向に沿った流れ模様であることが好ましい。
これによれば、第１化粧面および第２化粧面は、それぞれが取り合う軒天井部分の突出方向に沿った流れ模様であることにより、より美観の向上を図ることができる。
【００１１】
本発明の軒天井の施工方法は、建物壁面から突出する屋根端縁同士が交差する角隅部の軒天井部分を備えた軒天井の施工方法であって、前記角隅部に、前記軒天井部分の突出方向に応じて２方向に化粧面が形成された軒天井コーナー材を配設し、前記屋根端縁に沿って設けられる軒天井材を、この軒天井コーナー材の配設位置に応じて順次取り付けていくことを特徴とする。
【００１２】
これによれば、軒天井コーナー材は、前記軒天井部分の突出方向に応じて２方向に化粧面が形成されており、軒天井部分の模様のずれ等が生じないので、外観に違和感がない軒天井とすることができる。
また、目地が生じるものの、軒天井材の模様と軒天井コーナー材の模様とが揃えられているため、取り合い部分となる目地が目立ちにくく、さらに、両材の取り合い部分にそれぞれ面取り加工を施せば、一層目地が目立たず、外観に違和感がなく、ジョイナー等を施工する必要が無く、施工の手間を軽減できる。
さらに、端面を三角形状にする必要もないので、加工の手間を低減できる。
【００１３】
【発明の実施の形態】
以下、本発明の実施の形態を図面に基づいて説明する。
図１には、本発明の一実施形態に係る建物１が示されている。
建物１は、図示しない基礎上に配置された箱状の建物本体１１と、この建物本体１１上に配設された屋根１２とを備えて構成されている。
建物本体１１の建築方法に特に制限はなく、例えば、パネル工法や、ユニット工法、在来工法等が挙げられる。
【００１４】
屋根１２は、建物本体１１の壁面から四方向に張り出した寄せ棟造りの屋根であり、図示しない小屋組上に、屋根板を設け、屋根１２の軒の後述する軒天井に軒天井材を配設することで構成されている。
【００１５】
図２には、屋根１２を軒天井側から見上げた図が示されている。
この屋根１２の軒の軒天井１２１は、図２に示されるように、建物本体１１の壁面の面外方向に張り出した部分に設けられた張出軒天井材１２１１と、建物本体１１壁面から突出する屋根１２端縁同士が交差する角隅部の軒天井１２１部分に設けられる軒天井コーナー材１２１２とを備えて構成されている。
張出軒天井材１２１１は、矩形板状の部材であり、その表面上に、化粧面１２１１Ａが形成されている。この化粧面１２１１Ａは、印刷加工により形成されている。
【００１６】
軒天井コーナー材１２１２は、矩形板状体から構成され、矩形の対角線に沿って第１化粧面１２１２Ａおよび第２化粧面１２１２Ｂが分割形成されている。
第１化粧面１２１２Ａは、一方の屋根端縁に沿って設けられる軒天井材１２１１の化粧面１２１１Ａと模様が揃えられている。
また、第２化粧面１２１２Ｂは、他方の屋根端縁に沿って設けられる軒天井材１２１１の化粧面１２１１Ａと模様が揃えられている。
これら第１化粧面１２１２Ａおよび第２化粧面１２１２Ｂは、化粧面１２１１Ａと同様に印刷加工により形成され、それぞれが取り合う軒天井部分の突出方向に沿った流れ模様である。
【００１７】
以下のような手順で、建物１、建物本体１１、屋根１２および軒天井１２１を施工する。
まず、図示しない基礎上に建物本体１１を組み立てる。そして、建物本体１１上に、図示しない寄せ棟造り屋根用の小屋組を組み立てて、配置する。また、建物本体１１壁面から突出する屋根端縁同士が交差する軒天井１２１の角隅部に、軒天井部分の突出方向に応じて２方向に化粧面が形成された軒天井コーナー材１２１２を配設し、前記屋根端縁に沿って設けられる張出軒天井材１２１１を、この軒天井コーナー材の配設位置に応じて順次取り付けていく。その後、図示しない小屋組上に屋根板を設け、屋根１２が完成する。
【００１８】
上述のような本実施形態によれば、次のような効果がある。
（１）軒天井コーナー材１２１２の第１化粧面１２１２Ａおよび第２化粧面１２１２Ｂは、それぞれ軒天井材１２１１の化粧面と模様が揃えられており、模様のずれ等が生じないので、外観に違和感がない軒天井１２１とすることができる。また、目地が生ずるものの、軒天井材１２１１の化粧面の模様と軒天井コーナー材１２１２の化粧面１２１２Ａの模様とが揃えられているため、取り合い部分となる目地が目立ちにくく、さらに、両材の取り合い部分にそれぞれ面取り加工を施せば、一層目地が目立たず、外観に違和感がなく、ジョイナー等を施工する必要が無く、施工の手間を軽減できる。さらに、軒天井材の端面を三角形状にする必要もないので、加工の手間を低減できる。
【００１９】
（２）軒天井コーナー材１２１２は、矩形板状体から構成され、矩形の対角線に沿って第１化粧面１２１２Ａおよび第２化粧面１２１２Ｂが分割形成されていることにより、第１化粧面１２１２Ａおよび第２化粧面１２１２Ｂが対角線に対して線対称の配置となるので、外観に違和感がないだけでなく、より美観の向上を図ることができる。
【００２０】
（３）第１化粧面１２１２Ａおよび第２化粧面１２１２Ｂは、それぞれが取り合う軒天井部分の突出方向に沿った流れ模様であることにより、より美観の向上を図ることができる。
【００２１】
なお、本発明は前記実施形態に限定されるものではなく、本発明の目的を達成できる範囲での変形、改良は、本発明に含まれるものである。
例えば、屋根１２としては、前記実施形態では、建物本体１１の壁面から四方向に張り出した寄せ棟造りの屋根であったが、これに限られず、建物本体１１の壁面の少なくとも直交する２方向に張り出す屋根であればよく、入母屋造り等の他の構造を採用してもよい。
【００２２】
前記実施形態では、張出軒天井材１２１１および軒天井コーナー材１２１２は、その表面上に印刷加工により化粧面１２１１Ａ、１２１２Ａ、１２１２Ｂが形成されていたが、これに限られず、あらかじめ化粧面が形成されたシートを板状の部材に貼り付けて化粧面が形成された張出軒天井材１２１１および軒天井コーナー材１２１２としてもよい。
その他、本発明を実施する際の具体的な構造および形状等は、本発明の目的を達成できる範囲内で他の構造等としてもよい。
【００２３】
【発明の効果】
本発明によれば、第１化粧面および第２化粧面は、それぞれ軒天井材の化粧面と模様が揃えられており、模様のずれ等が生じないので、外観に違和感がない軒天井とすることができる。また、目地が生ずるものの、軒天井材の模様と軒天井コーナー材の模様とが揃えられているため、取り合い部分となる目地が目立ちにくく、さらに、両材の取り合い部分にそれぞれ面取り加工を施せば、一層目地が目立たず、外観に違和感がなく、ジョイナー等を施工する必要が無く、施工の手間を軽減できる。さらに、軒天井材の端面を三角形状にする必要もないので、加工の手間を低減できる。
【図面の簡単な説明】
【図１】本発明の一実施形態の建物を示す斜視図である。
【図２】図１の実施形態における軒天井側から屋根を見た平面図である。
【図３】従来技術にかかる屋根の軒天井側から屋根を見た平面図（Ａ）、（Ｂ）である。
【符号の説明】
１      建物
７      ジョイナー
１１      建物本体
１２      屋根
１２１      軒天井
１２１１      軒天井材
１２１１      張出軒天井材
１２１２Ａ、１２１２Ｂ      化粧面
１２１２      軒天井コーナー材
５２１      軒天井
５２１１      軒天井材
５２１２      軒天井材
５２１２Ａ      化粧面
６２１１      軒天井材
６２１１Ａ      化粧面
【図１】
2004285576.tif 000003
【図２】
2004285576.tif 000004
【図３】
2004285576.tif 000005